(57)【要約】【課題】遊技機からの操作ボタンの着脱を容易に行う。【解決手段】パチンコ機１の上皿７に設けられた開口部７１に台座１５が上方から挿入され、上筒部２３のフランジ２３ａの下面と上皿７との間に隙間が形成されない位置までボタンユニット２を下方に押し込み、挿通溝２７ａ，２７ｂに保持部材３６の横板部３８を挿入し、Ｕ字形状溝３７内に基部２２を保持させ、横板部３８の上面で上筒部２３の下面を支持し、この状態で、上皿７の内壁面に形成された一対のビス孔部５１ａ，５１ｂに、貫通孔４０ｃ，４０ｄを介してビス５２ａ，５２ｂをネジ込むことによって、ボタンユニット２がパチンコ機１の上皿７に固定される。ボタンユニット２を交換・解体する場合には、逆の手順で取り外す。【選択図】        図７
2007068865.tif 000002
【特許請求の範囲】
【請求項１】
遊技者が遊技状態に応じて操作する操作ボタンと、
前記操作ボタンを相対的に可動に保持する支持部材と、を備えた操作ボタンユニットと、
前記操作ボタンユニットを挿入する開口部と、
前記操作ボタンユニットを保持する保持部材と、を備え、
前記支持部材に挿通溝が横方向に形成され、前記挿通溝に前記保持部材を横方向から挿脱自在とし、前記保持部材で前記操作ボタンユニットを脱着自在に遊技機部材に固定することを特徴とする遊技機。
【発明の詳細な説明】
【技術分野】
【０００１】
本発明は、遊技機(パチンコ機、スロット機を含む。)に関するものである。
【背景技術】
【０００２】
現行のパチンコ機の操作ボタンとしては、遊技に多様性を持たせるチャンスボタン等が設けられている。また、スロット機の操作ボタンには、コイン投入押しボタン(ベットボタン)等が設けられている。これらの操作ボタンは、従来、特許文献１に示すように、螺合部により、遊技機に取り付けられる構成が一般的であった(特許文献１の図１、段落００１７、段落００２０参照)。
【特許文献１】特開２００５−１１８４０３
【発明の開示】
【発明が解決しようとする課題】
【０００３】
しかしながら、ベットボタン、チャンスボタン等は頻繁に操作されることが多いため、壊れやすい。操作ボタンを螺合部により遊技機に取り付ける構成において、操作ボタンを交換や解体をするためには、遊技機から操作ボタンを着脱する際に螺合部を回さねばならず、必要以上に手間がかかってしまい、作業が大変面倒であるという問題が生じていた。
上記問題点に鑑み、本発明は、遊技機の操作ボタンを交換作業や解体作業を容易に行うことができる遊技機を提供することを目的とする。
【課題を解決するための手段】
【０００４】
上記目的を達成するため、請求項１に記載の発明は、遊技者が遊技状態に応じて操作する操作ボタンと、前記操作ボタンを相対的に可動に保持する支持部材と、を備えた操作ボタンユニットと、前記操作ボタンユニットを挿入する開口部と、前記操作ボタンユニットを保持する保持部材と、を備え、前記支持部材に挿通溝が横方向に形成され、前記挿通溝に前記保持部材を横方向から挿脱自在とし、前記保持部材で前記操作ボタンユニットを脱着自在に遊技機部材に固定することを特徴とする遊技機である。
【０００５】
「遊技者が遊技状態に応じて操作する操作ボタン」としては、例えば、パチンコ機に用いられる遊技に多様性を持たせるチャンスボタン、スロット機に用いられるコイン投入押しボタン(マックスベット)等が挙げられる。尚、操作ボタンを押圧ボタンにより構成し、押圧ボタンを遊技者が押圧することにより、操作ボタンが操作されたことを遊技機側で検出する構成とするのが好ましい。
【０００６】
「前記挿通溝に前記保持部材を横方向から挿脱自在」の構成に関しては、例えば、図７に示すように、保持部材が横板部を備え、これを操作ボタンユニットの挿通溝に横方向から挿入し嵌合させることにより、操作ボタンユニットを開口部に固定保持するように構成する例があげられる。
【０００７】
「支持部材」には、例えば、操作ボタンが遊技者により操作されたことを検出する検出手段としての機能を具備させるのが好適である。また、操作ボタンを押圧ボタンにより構成した場合には、遊技者により操作ボタンが押圧された場合に操作ボタンが一方向に移動し且つ操作ボタンが遊技者による押圧から解放された場合に元の位置に戻す弾性手段を具備させることが好ましい。
【０００８】
「前記保持部材を固定具で脱着自在に遊技機部材に固定すること」の具体的手段としては、例えば、図７に示すように、保持部材及び遊技機部材（上皿）にビス孔部を設け、保持部材の横板部を操作ボタンユニットの挿通溝に横方向から挿入し嵌合させた状態で、保持部材及び遊技機部材（上皿）のビス孔部を介してビスを固定することにより、保持部材を遊技機部材（上皿）に固定し、操作ボタンユニットを開口部に固定する構成が考えられる。このようにして開口部に固定された操作ボタンユニットを取り外す場合には、保持部材、遊技機部材（上皿）のビス孔部からビスを取り外すだけで簡単に取り外すことができる。
【発明の効果】
【０００９】
請求項１の発明によれば、支持部材に挿通溝が横方向に形成され、挿通溝に保持部材を横方向から差し込んで、前記開口部からの前記操作ボタンユニットの抜けを阻止する構成を備えるので、操作ボタンユニットを遊技機本体に対して交換する作業や解体する作業を容易化することができる。
【発明を実施するための最良の形態】
【００１０】
以下に、本発明の好適な実施形態に係る、遊技機としてパチンコ機１を例に取り、図面を参照して説明する。
【００１１】
（実施形態１）
パチンコ機１は、図１、２に示す通り、ボタンユニット２、前面枠３、ガラス枠４、機枠５、操作ハンドル６、上皿７、下皿８、遊技盤９、電飾装置１０等から構成されている。また、センター役物（図示略）が遊技盤９上の中央に設けられており、センター役物の下方には始動入賞口（図示略）が設けられ、その下方には大入賞口（図示略）が設けられている。
【００１２】
センター役物内に設けられた表示部（図示略）は液晶によって構成され、種々の画像が表示される。即ち、始動入賞口（図示略）に遊技球が入賞すると、表示部における表示が所定の時間の間変動表示され、その後、最終的な図柄が静止表示される。静止表示された図柄には「当たり」と「外れ」があり、「当たり」の場合（例えば「７７７」）には、大入賞口が所定の回数開くようにされている。例えば、１６回開き、１回当たり１０個の遊技球が入球するまで開いたままとなる。そして、１個の遊技球の入賞に対して、１５個の遊技球が賞球として賞球払い出し装置（図示略）から払い出される。
【００１３】
前面枠３は、パチンコ機１の前面に装着されるものであり、該前面枠３の前面側には、ガラス枠４が開閉可能に装着されている。ガラス枠４は、光透過性であり、遊技者がガラス枠４を通して、遊技盤９を視認することが出来るようになっており、図２に示すように、ガラス枠４は開閉自在に構成されている。更に、図２に示すように、上皿７上には、チャンスタイムに操作することで遊技に多様性を持たせるボタンであるチャンスボタン１３が設けられている。チャンスボタン１３は、本発明の「操作ボタン」に対応するものである。このチャンスボタン１３は、ボタンユニット２の構成の一部であり、ボタンユニット２の全体構成については、図３、図４、図５にて説明する。
【００１４】
図３、図４、図５に示すように、ボタンユニット２には、チャンスボタン１３の他に、台座１５、プリント基板１６等が１つのユニットとして組み付けられている。チャンスボタン１３は、平面視で略楕円形状であり、着色のある半透明の樹脂材からなる押圧部材１７と、この押圧部材１７が嵌着される受け部材１８とから構成されている。押圧部材１７の側面には係止孔１９が設けられており、受け部材１８の上部側面に設けられた係止爪２０が係止孔１９に差し込まれることにより、押圧部材１７と受け部材１８が接合され合体されている。受け部材１８の下部には、一対の係止爪２１が下方に突出するように形成されている。尚、受け部材１８の内部は空洞である。
【００１５】
チャンスボタン１３を保持する台座１５は、台座本体１５ａと、台座本体１５ａの下部に接合される台座底部１５ｂから構成されている。この台座本体１５ａは、筒状の基部２２と、基部２２の上方に接続され上端部にフランジ２３ａを備えた上筒部２３と、上筒部２３と基部２２に設けられたボタン支持部２２ｂの間を上下方向に貫通するとともに下方領域が上方領域よりも縮径された貫通孔２４と、上筒部２３の内側に形成され貫通孔２４を包囲するように形成された段部２５と、基部２２の外面の側面側に形成され横方向且つ外方向に突出するように形成された一対の突出部２６ａ，２６ｂと、上筒部２３の下面と突出部２６ａ，２６ｂの上面の間に横方向に形成される挿通溝２７ａ，２７ｂ（図４参照）と、を備えている。段部２５は、チャンスボタン１３を所定の位置に保持するものである。受け部材１８の係止爪２１が基部２２のボタン支持部２２ｂに形成された係止孔２２ａに差し込まれることにより、チャンスボタン１３と台座本体１５ａが固定されることになる。この際、チャンスボタン１３の押圧部材１７が、台座本体１５ａの上筒部２３に当接する形で固定され、上筒部２３の上面から押圧部材１７の上部が突出された状態になる。スプリング２８は、受け部材１８の下面と基部２２のボタン支持部２２ｂとの間に介装され、軸方向が上下方向になるように配置されている。チャンスボタン１３を台座本体１５ａから相対的に可動に保持する際には、チャンスボタン１３と台座本体１５ａの間の貫通孔２４内にスプリング２８を起立した状態で配置する。このとき、係止爪２１がスプリング２８を両側から抱え込むように配置される。このスプリング２８の配置により、上皿７から突出したチャンスボタン１３を押圧すると、チャンスボタン１３が押し下げされ、押圧を解除すると元の位置に復帰するようになっている。
【００１６】
台座本体１５ａの下部には一対の係止爪２９が設けられており、この係止爪２９が台座底部１５ｂの上部に設けられた起立片３０に形成された係止孔３１に係止されることにより、台座本体１５ａに台座底部１５ｂが固定される。台座本体１５ａと台座底部１５ｂを固定するときには、その間にプリント基板１６が介装される。プリント基板１６の片面側には、電子回路が形成されており、チャンスボタン１３が押圧されたことを検出する電子回路３３が半田付けされている。チャンスボタン１３が押圧されたことは、プリント基板１６に設けられた電子回路３３により検出され、この検出信号は、プリント基板１６から主制御基板(図示略)に送信され、この検出信号を基に主制御基板が必要な処理を行う。例えば、この検出信号の発生に伴い、着色のある半透明の樹脂材からなる押圧部材１７をＬＥＤ３２が照射し、半透明の押圧部材１７が着色に応じた色に光る構成とすることが考えられる。台座本体１５ａと台座底部１５ｂに介装されたプリント基板１６は、ボタン支持部２２ｂに設けられた挿入孔２２ｃからＬＥＤ３２が上方に突出した状態で配置され、これによりＬＥＤ３２が押圧部材１７を照射することが可能となる。尚、台座本体１５ａは、本発明の「支持部材」に対応するものとなっている。
【００１７】
次に、図６及び図７を用いて、上記で説明したボタンユニット２を上皿７に対して固定する保持部材３６について説明する。この保持部材３６は、平面視で略コ字形状に形成され、Ｕ字形状溝３７が形成された横板部３８と、横板部３８の上面から上方に延び出す上壁部３９と、横板部３８の下面から下方に延び出す下壁部４０と、を備えたものである。横板部３８の左右両側端部に一対の貫通孔３８aが形成されている。上壁部３９には、複数の切欠３９ａ，３９ｂが形成されている。下壁部４０は平面視で略Ｕ字形状に形成され、Ｕ字形状溝３７よりも大径に形成される。また、下壁部４０が折り曲げられることにより両端部４０ａ，４０ｂが形成され、この両端部４０ａ，４０ｂにはそれぞれ貫通孔４０ｃ，４０ｄが横方向に形成されている。
【００１８】
上記ボタンユニット２の上皿７への組み付け作業について説明する。先ず、パチンコ機１の上皿７に設けられた開口部７１に台座１５が軸方向の上方から挿入され、上筒部２３のフランジ２３ａの下面と上皿７との間に隙間が形成されない位置までボタンユニット２を下方に押し込む。次に、挿通溝２７ａ，２７ｂに保持部材３６の横板部３８を挿入し、Ｕ字形状溝３７内に基部２２を保持させる。このとき横板部３８の上面で上筒部２３の下面を支持する。また、突出部２６ａ，２６ｂは横板部３８の下面に位置するが、それらの間には隙間が生じている。このように、ボタンユニット２が固定保持されるように台座１５と保持部材３６を嵌合した状態で、上皿７の内壁面に形成された一対のビス孔部５１ａ，５１ｂに、貫通孔４０ｃ，４０ｄを介してビス５２ａ，５２ｂをネジ込むことによって、ボタンユニット２がパチンコ機１の上皿７に固定されることになる。このとき、保持部材３６のボタンユニット２を交換や解体する場合には、上記とは逆の手順で取り外す。尚、上皿７は、本発明の「遊技機部材」に対応するものである。
【００１９】
以上、説明した本実施形態によれば、ボタンユニット２をパチンコ機１に固定するとき、図７に示す通り、ボタンユニット２をパチンコ機１に設けられた上皿７の開口部７１に挿入した後、ボタンユニット２が固定保持されるように台座１５と保持部材３６を嵌合し、保持部材３６をビス５２ａ，５２ｂにより上皿７に固定する構成としたので、パチンコ機１に対してボタンユニット２を着脱することを容易に行うことが出来る。これにより、ボタンユニット２の故障に伴う交換作業や解体作業が容易になる。また１つの保持部材３６により基部２２を包囲するように保持することで上皿７にボタンユニット２を固定するので、簡単な構造で確実な固定が可能である。
【００２０】
以上の実施形態は、本発明の態様を実施するに当たって、本発明者により採用された技術の代表例である。これら技術は本発明の実施のための好ましい実施形態の例示であり、また、本技術分野に属する者あれば、本発明の開示に鑑みて、本発明の精神及び意図された要旨から離れることなく多数の改変・追加等が可能である。例えば、保持部材３６でボタンユニット２を上皿７に固定具（ビス孔部５１ａ，５１ｂ，ビス５２ａ，５２ｂ）で固定することにしたが、固定具を用いずに保持部材３６を上皿７に嵌め込むことにより、ボタンユニット２を上皿７に固定してもよい。
【図面の簡単な説明】
【００２１】
【図１】本発明実施形態のパチンコ機１の正面図である。
【図２】同パチンコ機１の斜視図である。
【図３】同ボタンユニット１を組み付ける際の斜視図である。
【図４】同ボタンユニット２が組みつけられた状態での断面図である。
【図５】同台座本体１５aの平面図である。
【図６】同保持部材３６の斜視図である。
【図７】同ボタンユニット２を上皿７に対して接続するときの説明斜視図である。
【符号の説明】
【００２２】
１・・・  パチンコ機  ２・・・  ボタンユニット  １３・・・チャンスボタン
１５・・・台座（支持部材）  １５ａ・・・台座本体  １５ｂ・・・台座底部
１７・・・押圧部材  １８・・・受け部材  ２２・・・基部
２３・・・上筒部  ２３ａ・・・フランジ  ２５・・・段部
２６ａ，２６ｂ・・・突出部  ２７ａ，２７ｂ・・・挿通溝
２８・・・スプリング  ７１・・・開口部  ３６・・・保持部材
【図１】
2007068865.tif 000003
【図２】
2007068865.tif 000004
【図３】
2007068865.tif 000005
【図４】
2007068865.tif 000006
【図５】
2007068865.tif 000007
【図６】
2007068865.tif 000008
【図７】
2007068865.tif 000009